(57)【要約】【課題】摺動性が高く、かつ、耐腐食性が高い磁気健康装身具を提供する。【解決手段】この磁気健康装身具１は、中空孔２ａを有する複数個のマグネット２、２、・・・と、中空孔２ａに通されて複数個のマグネット２、２、・・・を連結する導電性ワイヤ３と、複数個のマグネット２、２、・・・と導電性ワイヤ３を閉じ込め、表面にダイヤモンドライクカーボン層４Ａを有する可撓チューブ４と、可撓チューブ４の両端に取り付けられる一対の留め具５Ａ、５Ｂと、を備える。【選択図】図２
2020188996.tif 000002
【特許請求の範囲】
【請求項１】
複数個のマグネットと、
該複数個のマグネットを閉じ込め表面にダイヤモンドライクカーボン層を有する可撓チューブと、
該可撓チューブの両端に取り付けられる一対の留め具と、
を備えることを特徴とする磁気健康装身具。
【請求項２】
請求項１に記載の磁気健康装身具において、
導電性ワイヤを更に備え、
前記マグネットは、中空孔を有しており、
前記導電性ワイヤは、前記中空孔に通されて前記複数個のマグネットを連結しており、
前記可撓チューブは、前記導電性ワイヤを更に閉じ込めていることを特徴とする磁気健康装身具。
【請求項３】
請求項１又は２に記載の磁気健康装身具において、
前記可撓チューブは、合成ゴム製又は合成樹脂製であることを特徴とする磁気健康装身具。
【請求項４】
請求項３に記載の磁気健康装身具において、
前記可撓チューブは、０．１重量％〜２０重量％の炭素粉末を含有することを特徴とする磁気健康装身具。
【請求項５】
請求項３又は４に記載の磁気健康装身具において、
前記可撓チューブは着色されていることを特徴とする磁気健康装身具。
【請求項６】
請求項３又は４に記載の磁気健康装身具において、
前記可撓チューブは透明又は半透明であることを特徴とする磁気健康装身具。
【請求項７】
請求項１又は２に記載の磁気健康装身具において、
前記可撓チューブは織物又は組紐であることを特徴とする磁気健康装身具。
【発明の詳細な説明】
【技術分野】
【０００１】
本発明は、ネックレスやブレスレットなどのリング状の磁気健康装身具に関する。
【背景技術】
【０００２】
従来から、ネックレスやブレスレットなどのようなリング状の装身具に複数個のマグネット（永久磁石）を含むようにした磁気健康装身具は、それから放出する磁力線により健康を増進するものとして広く使用されている。このような磁気健康装身具の中には、個々のマグネットが外部に露出しているものの他に、マグネットが可撓チューブに閉じ込められた構成のものが有る。例えば、特許文献１には、柔軟性材料のチューブ（可撓チューブ）の内部空間に複数個のマグネットが挿入された装身具が開示されている。
【先行技術文献】
【特許文献】
【０００３】
【特許文献１】特開２００７−１４４０１６号公報
【発明の概要】
【発明が解決しようとする課題】
【０００４】
可撓チューブを有する磁気健康装身具は、個々のマグネットが外部に露出しているものに比べ、美観が異なる他、装着して動く際に邪魔になり難い利点があると考えられる。一方、可撓チューブは、肌に直接に接触し得るため、それに接触したときに抵抗が少なくなるように摺動性が高く、かつ、汗などによる腐食に耐え得るように耐腐食性が高いものが望ましい。しかし、可撓チューブの主な材料たる合成ゴム又は合成樹脂は、一般には、摺動性が高くなく、耐腐食性も高くない。
【０００５】
本発明は、係る事由に鑑みてなされたものであり、その目的は、摺動性が高く、かつ、耐腐食性が高い可撓チューブを有する磁気健康装身具を提供することにある。
【課題を解決するための手段】
【０００６】
上記目的を達成するため、請求項１に記載の磁気健康装身具は、複数個のマグネットと、該複数個のマグネットを閉じ込め表面にダイヤモンドライクカーボン層を有する可撓チューブと、該可撓チューブの両端に取り付けられる一対の留め具と、を備えることを特徴とする。
【０００７】
請求項２に記載の磁気健康装身具は、請求項１に記載の磁気健康装身具において、導電性ワイヤを更に備え、前記マグネットは、中空孔を有しており、前記導電性ワイヤは、前記中空孔に通されて前記複数個のマグネットを連結しており、前記可撓チューブは、前記導電性ワイヤを更に閉じ込めていることを特徴とする。
【０００８】
請求項３に記載の磁気健康装身具は、請求項１又は２に記載の磁気健康装身具において、前記可撓チューブは、合成ゴム製又は合成樹脂製であることを特徴とする。
【０００９】
請求項４に記載の磁気健康装身具は、請求項３に記載の磁気健康装身具において、前記可撓チューブは、０．１重量％〜２０重量％の炭素粉末を含有することを特徴とする。
【００１０】
請求項５に記載の磁気健康装身具は、請求項３又は４に記載の磁気健康装身具において、前記可撓チューブは着色されていることを特徴とする。
【００１１】
請求項６に記載の磁気健康装身具は、請求項３又は４に記載の磁気健康装身具において、前記可撓チューブは透明又は半透明であることを特徴とする。
【００１２】
請求項７に記載の磁気健康装身具は、請求項１又は２に記載の磁気健康装身具において、前記可撓チューブは織物又は組紐であることを特徴とする。
【発明の効果】
【００１３】
本発明の磁気健康装身具によれば、摺動性が高く、かつ、耐腐食性が高い可撓チューブを有するものとすることができる。
【図面の簡単な説明】
【００１４】
【図１】本発明の実施形態に係る磁気健康装身具の正面図である。
【図２】同上の磁気健康装身具の正面視断面図である。
【図３】同上の磁気健康装身具のマグネットを示すものであって、（ａ）が正面図、（ｂ）が背面図、（ｃ）が左側面図、（ｄ）が正面視断面図である。
【図４】同上の磁気健康装身具の図２の上部を拡大して示すものであって、（ａ）が正面視断面図、（ｂ）が長手方向に対してＡ−Ａ線で示す箇所で垂直に切断した断面図である。
【図５Ａ】同上の磁気健康装身具の可撓チューブの作製方法を長手方向に対して垂直に切断した断面で示すものであって、（ａ）がマグネットの収容前、（ｂ）がマグネットの収容途中、（ｃ）がマグネットの収容後である。
【図５Ｂ】同上の磁気健康装身具の可撓チューブの他の作製方法を長手方向に対して垂直に切断した断面で示すものであって、（ａ）がマグネットの収容前、（ｂ）がマグネットの収容途中、（ｃ）がマグネットの収容後である。
【図６】同上の磁気健康装身具において、ＤＬＣ処理を行うプラズマイオン注入装置の一例を示す説明図である。
【図７】同上の磁気健康装身具の一対の留め具を拡大して示すものであって、（ａ）が正面図、（ｂ）が一対の留め具を互いに分離したときの正面図、（ｃ）が一対の留め具を互いに分離したときの正面視断面図である。
【発明を実施するための形態】
【００１５】
以下、本発明を実施するための形態について図面を参照しながら説明する。本発明の実施形態に係る磁気健康装身具１は、図１及び図２に示すように、複数個のマグネット２、２、・・・と導電性ワイヤ３と可撓チューブ４と一対の留め具５Ａ、５Ｂとを備える。磁気健康装身具１は、ネックレスやブレスレットなどのリング状のものである。
【００１６】
マグネット２は、図３（ｃ）、（ｄ）に示すように、中空孔２ａを有する。マグネット２は、中空孔２ａが軸線に沿って設けられた円柱状のものを用いることができる（図３（ａ）〜（ｄ）参照）が、特に形状が限定されるものではない。マグネット２は、図３（ａ）〜（ｃ）に示すように、正面側がＮ極で背面側がＳ極に着磁されたものとすることができるが、その逆も可能であり、また、場合によっては、正面視右側及び左側の一方がＮ極でもう一方がＳ極に着磁されたものとすることも可能である。マグネット２は、ネオジウム磁石やフェライト磁石などが適用可能である。マグネット２のサイズは、円柱状の場合、例えば、直径約２ｍｍ〜約４ｍｍ程度、長さ約５ｍｍ〜約１５ｍｍ程度とすることができるが、特にサイズが限定されるものではない。
【００１７】
また、複数個のマグネット２、２、・・・は、着磁（Ｎ極及びＳ極）を揃えることが可能であるが、特にそれには限定されない。また、複数個のマグネット２、２、・・・は、適宜、その配置箇所が決められる。例えば、首に装着するもの（ネックレス）の場合では、図２における上部の位置に配置して首の後ろに磁力線が当たるようにしたり、図２における左上部及び右上部の位置に配置して総頸動脈付近に磁力線が当たるようにしたりすることができる。
【００１８】
導電性ワイヤ３は、図４に示すように、各マグネット２の中空孔２ａに通されて複数個のマグネット２、２、・・・を連結する。導電性ワイヤ３は、例えば、銅やアルミニウムなどの金属製の線材が適用可能である。
【００１９】
可撓チューブ４は、複数個のマグネット２、２、・・・と導電性ワイヤ３を閉じ込める（図２参照）。「可撓チューブ」とは、可撓性のものであり、その内部に、他の部材を収容する収容用の中空部を有する長尺物を意味する。可撓チューブ４は、この収容用の中空部に複数個のマグネット２、２、・・・と導電性ワイヤ３を収容する。可撓チューブ４は、シリコンゴムなどの合成ゴム製又は合成樹脂製とすることができる。また、可撓チューブ４は、長手方向に対して垂直に切断した断面の輪郭は円形状又は楕円形状などとすることができる。また、導電性ワイヤ３の両端部は、可撓チューブ４の両端から僅かにはみ出得るが、その部分は後に詳述する一対の留め具５Ａ、５Ｂによって閉じ込めることができる。
【００２０】
可撓チューブ４は、それを半分に割った大きさの２個の半円柱状の長尺物４’、４’’のそれぞれに上記収容用の中空部の半分４ａ’、４ａ’’を金型で形成し（図５Ａ（ａ）参照）、その収容用の中空部の半分４ａ’、４ａ’’に複数個のマグネット２、２、・・・と導電性ワイヤ３を収容し（図５Ａ（ｂ）参照）、２個の長尺物４’、４’’を融着して作製することができる（図５Ａ（ｃ）参照）。或いは、可撓チューブ４は、それを半分に割った大きさの２個の半円柱状の長尺物４’、４’’の片方４’に上記収容用の中空部の半分４ａ’を金型で形成し（図５Ｂ（ａ）参照）、その収容用の中空部の半分４ａ’に複数個のマグネット２、２、・・・と導電性ワイヤ３を載置し（図５Ｂ（ｂ）参照）、それから、長尺物４’、４’’の他方４’’を変形可能な状態（固まる前の状態）で合わせて自動的に収容用の中空部の他方の半分を形成し、２個の長尺物４’、４’’を融着して作製することができる（図５Ｂ（ｃ）参照）。なお、マグネット２がなく導電性ワイヤ３のみが有る部分については、導電性ワイヤ３の直径が小さいので、通常、中空部の半分４ａ’（及び４ａ’’）を金型で形成する必要はなく、収容用の中空部は長尺物４’、４’’を融着するときに自動的に形成されるようにすることができる。
【００２１】
可撓チューブ４は、表面にＤＬＣ層（ダイヤモンドライクカーボン層）４Ａを有する。ＤＬＣ層４Ａの厚さは、特に限定されるものではないが、例えば、約１０ｎｍ〜約１μｍが可能である。ＤＬＣ層４Ａは、厚いと黒色であるが、薄く（例えば、約１０ｎｍ程度に）することで透明にすることができる。
【００２２】
ＤＬＣ層４Ａは、以下のようにして形成することができる。すなわち、先ず、複数個のマグネット２、２、・・・と導電性ワイヤ３を閉じ込めた可撓チューブ４は、図６に示すようなプラズマイオン注入装置１０に導入される。なお、このとき、可撓チューブ４からはみ出している導電性ワイヤ３の少なくとも一端部は、長めにしておいて、ＤＬＣ層４Ａの形成が完了した後に短くカットすることが好ましい。
【００２３】
プラズマイオン注入装置１０は、チャンバー１１と、このチャンバー１１内に炭化水素系のガス（典型的にはメタンガス、その他として、アセチレンガス、プロパンガスなど）及び必要に応じてその他のガス（水素ガス、フッ素ガス又はアルゴンガスなど）を導入するガス導入装置１２と、チャンバー１１内を真空引きする真空装置１３と、チャンバー１１とガス導入装置１２との間に設けられるバルブ１４Ａと、チャンバー１１と真空装置１３の間に設けられるバルブ１４Ｂと、チャンバー１１の上内面から突出する導体１５と、導体１５に高周波電力を印加してプラズマを発生させるプラズマ発生用電源１６と、導体１５に高電圧パルスを印加する高電圧パルス発生電源１７と、高周波電力及び高電圧パルスの印加を１つの導体１５で共用するために、プラズマ発生用電源１６及び高電圧パルス発生電源１７と導体１５との間に設けられた重畳装置１８と、重畳装置１８と導体１５との間に設けられる高電圧導入部 (フィードスルー) １９と、を備えている。
【００２４】
プラズマイオン注入装置１０に導入される可撓チューブ４は、可撓チューブ４からはみ出している導電性ワイヤ３の一端部が導体１５に接触してそれに係止するなどして留められ、所定位置に吊り下げられる。
【００２５】
それから、真空装置１３でチャンバー１１内を真空引きするとともに、ガス導入装置１２からチャンバー１１内にガスを導入する。そして、プラズマ発生用電源１６が導体１５を介して導電性ワイヤ３に高周波電力を印加することで可撓チューブ４の周囲にプラズマを発生させる。その後、高電圧パルス発生電源１７が導体１５を介して導電性ワイヤ３に高電圧パルス（負の高圧パルス）を印加することにより、プラズマ中のイオンを可撓チューブ４の表面に誘引させる。そして、誘引されたイオンに含まれる炭素原子が可撓チューブ４にその表面から所定の深さまで注入され、それによってＤＬＣ層４Ａが表面に形成される。このようにして、可撓チューブ４内の導電性ワイヤ３を利用することにより、可撓チューブ４の表面全体にＤＬＣ層４Ａが形成されるようにすることができる。
【００２６】
なお、可撓チューブ４に注入される元素には、炭素以外のものも含めることができる。例えば、ＤＬＣ層４Ａの抗菌性を高めるためには、フッ素や銀などを含めてもよい。
【００２７】
次に、一対の留め具５Ａ、５Ｂを説明する。一対の留め具５Ａ、５Ｂは、可撓チューブ４の両端に取り付けられる。一対の留め具５Ａ、５Ｂは、材料が特に限定されるものではないが、例えば、ステンレス製とすることができる。
【００２８】
一対の留め具５Ａ、５Ｂは、様々な形状が可能であるが、例えば、図７（ａ）、（ｂ）、（ｃ）に示す一対の留め具５Ａ、５Ｂのそれぞれは、突起５ａと凹み部５ｂを有し、その間に留め具用のマグネット５ｃが設けられている。一対の留め具５Ａ、５Ｂが互いに結合しているときは、留め具５Ａの突起５ａ、凹み部５ｂ、マグネット５ｃは、留め具５Ｂの凹み部５ｂ、突起５ａ、マグネット５ｃに合わさっている。なお、留め具５Ａのマグネット５ｃと留め具５Ｂのマグネット５ｃの各々の表面側は、互いに逆極性である。
【００２９】
一対の留め具５Ａ、５Ｂは、以下のようにして、可撓チューブ４の両端に取り付けられるようにすることができる。すなわち、可撓チューブ４の両端には、小径部４ｂが設けられている。一対の留め具５Ａ、５Ｂは、その端面に穴部が形成されており、それに可撓チューブ４の小径部４ｂが嵌め込まれている。また、小径部４ｂは、その外周面に形成された円環状の溝にリング５ｄが嵌め込まれている。リング５ｄの外径は、可撓チューブ４の小径部４ｂの外径とほぼ同じになっている。また、ピン５ｅが、留め具５Ａ又は５Ｂから小径部４ｂにかけて差し込まれている。リング５ｄ及びピン５ｅの材料は、一対の留め具５Ａ、５Ｂの材料と同じとすることができる。リング５ｄの外周面とピン５ｅの軸部には接着剤が塗布され、それにより、可撓チューブ４の小径部４ａと留め具５Ａ又は５Ｂが強固に固定される。なお、ピン５ｅは、図７（ａ）、（ｂ）においてはその頭部、図７（ｃ）においてはその軸部があらわれている。
【００３０】
従って、導電性ワイヤ３の両端部は、可撓チューブ４の両端から僅かにはみ出ていても、その部分は留め具５Ａ又は５Ｂによって閉じ込められることになる。よって、複数個のマグネット２、２、・・・と導電性ワイヤ３は、可撓チューブ４と一対の留め具５Ａ、５Ｂによって全部が閉じ込められ、密閉されるようにすることができる。
【００３１】
以上説明した構成の磁気健康装身具１は、可撓チューブ４の表面にＤＬＣ層４Ａを有するので、摺動性が高いものとすることができる。従って、肌に接触したときに抵抗が少なくなるようにでき、それにより、擦れにより肌が傷むようにならず、また、身体が動く際に（特に、運動中に）にほとんど邪魔にならないようにもできる。なお、一般的に、摩擦係数は、表面にＤＬＣ層を有する材料については、例えば約０．１〜約０．２が可能であり、一方、表面にＤＬＣ層を有さない金属及び合成ゴムについては、ステンレス及びシリコンゴムが例えば０．５〜０．６である。
【００３２】
また、可撓チューブ４の表面にＤＬＣ層４Ａを有すると、耐腐食性が高いものとすることができる。従って、汗などによる腐食に耐え得る。また、磁気健康装身具１は、複数個のマグネット２、２、・・・と導電性ワイヤ３が可撓チューブ４と一対の留め具５Ａ、５Ｂによって閉じ込められ、かつ、可撓チューブ４の表面にＤＬＣ層４Ａを有するので、たとえ日常生活のあらゆる場面（例えば、入浴時など）で装着しても、複数個のマグネット２、２、・・・と導電性ワイヤ３と可撓チューブ４が腐食に耐え得る。
【００３３】
磁気健康装身具１の可撓チューブ４は、合成ゴム製又は合成樹脂製の場合、それに０．１重量％〜２０重量％の炭素粉末を含有するようにできる。炭素粉末は、直径が小さい（例えば、約１０μｍ〜約１００μｍ）黒鉛粒子（例えば、鱗状黒鉛や人造黒鉛の粒子など）とすることができる。炭素粉末は、遠赤外線効果による健康増進効果が期待できる。
【００３４】
合成ゴム製又は合成樹脂製の可撓チューブ４は、様々に着色された材料を用いることが可能であり、また、不均一に着色された材料を用いることも可能である。ＤＬＣ層４Ａは、透明になるように薄くする。そうすると、可撓チューブは着色され、その色を観察することができるようになる。この場合、様々な趣向に応じた美感が可能になる。なお、「透明」は、実質的な透明を意味し、略透明を含むものとする。
【００３５】
また、合成ゴム製又は合成樹脂製の可撓チューブ４は、透明又は半透明な材料を用いることが可能であり、また、それに不均一に着色された材料を用いることも可能である。ＤＬＣ層４Ａは、透明になるように薄くする。そうすると、可撓チューブは全部又は一部が透明又は半透明であるため、複数個のマグネット２、２、・・・と導電性ワイヤ３を観察することができるようになる。この場合、独特の美感となり、また、複数個のマグネット２、２、・・・と導電性ワイヤ３を装飾したりその他の装飾物を加えたりすることで、美感を高めることもできる。
【００３６】
可撓チューブ４は、合成ゴム製又は合成樹脂製以外に、織物又は組紐とすることも可能である。織物又は組紐は、西陣織などの伝統的なものを用いることができる。ＤＬＣ層４Ａは、透明になるように薄くする。そうすると、優れた美感を得ることができる。また、この場合、ＤＬＣ層４Ａは、摺動性、耐腐食性の他に、防水性の効果が高い。
【００３７】
また、磁気健康装身具１は、導電性ワイヤ３により複数個のマグネット２、２、・・・とともに連結される少なくとも１個の炭素成形体を更に備えることも可能である。この場合、炭素成形体は、中空孔を有し、また、可撓チューブ４により閉じ込められる。炭素成形体は、遠赤外線効果による健康増進効果が期待できる。
【００３８】
以上、本発明の実施形態に係る磁気健康装身具について説明したが、本発明は、実施形態に記載したものに限られることなく、特許請求の範囲に記載した事項の範囲内でのさまざまな設計変更が可能である。例えば、上記以外の方法により導電性ワイヤ３を用いずに可撓チューブ４にＤＬＣ層４Ａを形成するのならば、導電性ワイヤ３を省略することが可能であり、その場合、マグネット２の中空孔２ａも省略することが可能である。
【符号の説明】
【００３９】
１    磁気健康装身具
２    マグネット
２ａ  マグネットの中空孔
３    導電性ワイヤ
４    可撓チューブ
４’、４’’  半円柱状の長尺物
４ａ’、４ａ’’  可撓チューブにおける収容用の中空部の半分
４ｂ  可撓チューブの両端の小径部
４Ａ  ＤＬＣ層（ダイヤモンドライクカーボン層）
５Ａ、５Ｂ  一対の留め具
５ａ  突起
５ｂ  凹み部
５ｃ  留め具用のマグネット
５ｄ  リング
５ｅ  ピン
１０    プラズマイオン注入装置
１１    チャンバー
１２    ガス導入装置
１３    真空装置
１４Ａ  ガス導入装置用のバルブ
１４Ｂ  真空装置用のバルブ
１５    導体
１６    プラズマ発生用電源
１７    高電圧パルス発生電源
１８    重畳装置
１９    高電圧導入部 (フィードスルー)
【図１】
2020188996.tif 000003
【図２】
2020188996.tif 000004
【図３】
2020188996.tif 000005
【図４】
2020188996.tif 000006
【図５Ａ】
2020188996.tif 000007
【図５Ｂ】
2020188996.tif 000008
【図６】
2020188996.tif 000009
【図７】
2020188996.tif 000010